(57)【要約】【課題】  携帯電話等の携帯型通信器の紛失や盗難による個人情報の漏洩や悪用を防止する。【解決手段】  携帯型通信器１の機能停止装置は、予め記憶した特定信号と外部から受信した特定信号を比較し、両者が一致した場合に通信機器の機能停止または個人情報の消去を行う機能停止手段１０を備えている。前記両信号が一致した場合には、比較回路１５は電源遮断手段１６のサイリスタ１７に駆動信号を出力してそれを導通させる。サイリスタ１７の導通により電源回路が短絡してその短絡電流で溶断部１８が溶断し、機器への駆動電源の供給が遮断されて機能停止状態になる。【選択図】        図１
2005191936.tif 000002
【特許請求の範囲】
【請求項１】
個人情報を記憶する記憶手段５を有する携帯型通信器の機能停止装置であって、
予め記憶した特定信号と外部から受信した特定信号を比較し、両者が一致した場合に前記通信機器の機能停止または個人情報の消去を行う機能停止手段１０を備えていることを特徴とする携帯型通信器の機能停止装置。
【請求項２】
請求項１において、前記機能停止手段１０は携帯型通信器の駆動電源を遮断する電源遮断手段１６または記憶手段５の記憶内容を消去する記憶消去手段３０を有することを特徴とする携帯型通信器の機能停止装置。
【請求項３】
個人情報を記憶する記憶手段５を有する携帯型通信器の機能停止システムであって、
予め記憶した特定信号と外部から受信した特定信号を比較し、両者が一致した場合に前記通信機器の機能停止または個人情報の消去を行う機能停止手段１０を備えた携帯型通信器と、
前記携帯型通信器を呼び出す呼出信号を送信する送信手段２８と、前記携帯型通信器からの応答信号を受信する受信手段２９と、応答信号を受信した場合に前記特定信号を送信する制御手段２３を備えた通信装置２０と、
を備えていることを特徴とする携帯型通信器の機能停止システム。
【発明の詳細な説明】
【技術分野】
【０００１】
本発明は紛失や盗難にあった携帯型通信器の機能を停止し、その使用を不可能にする機能停止装置および機能停止システムに関する。
【背景技術】
【０００２】
近年、携帯電話、通信機能付きノートパソコン、その他のモバイル機器などの携帯型通信器が広く普及している。携帯型通信器は無線電波による受信手段と送信手段、個人情報を記憶する記憶手段等を備えており、一般に記憶手段には個人情報として金融口座情報、保険契約情報、種々のカード情報、関係者の電話番号情報、顧客情報などの重要な秘密が記憶される。
【０００３】
個人情報を記憶せしめた携帯型通信器の紛失、盗難など不測の事態に対応するため、近時、機器の機能を自動的にロックし、暗証により再起動させるシステムを備えた機器も出現しているが、ユーザーの多くはそもそも不足の自体を想定していないし、分厚い操作マニュアルすべてに通暁することもないので、無防備で使用するのが実体である。
【０００４】
そこで、例えば携帯電話を紛失した場合には、通信運営会社にその事実を伝えて買い替えをすることになる。通知を受けた通信運営会社は寸質電話の通信停止措置を講ずるとともに、ユーザーに新しい携帯電話を購入せしめて以前と同じ番号で継続使用できるように切り換える措置をとっているのが現状である。
【発明の開示】
【発明が解決しようとする課題】
【０００５】
しかし電話網による通信の停止措置を講じたとしても、紛失した携帯電話に記憶された個人情報は消去されないので、その個人情報を読み出したり悪用される等の問題は解消しない。そこで本発明は、紛失や盗難にあった携帯型通信器における個人情報の漏洩や経済的損害の発生等の問題を解決することを課題とし、そのための新しい携帯型通信器の機能停止装置を提供することを目的とする。また本発明は前記携帯型通信器の機能停止システムを提供することを目的とする。
【課題を解決するための手段】
【０００６】
前記課題を解決する本発明に係る第１の発明は、個人情報を記憶する記憶手段を有する携帯型通信器の機能停止装置である。そして本装置は、予め記憶した特定信号と外部から受信した特定信号を比較し、両者が一致した場合に前記通信機器の機能停止または個人情報の消去を行う機能停止手段を備えていることを特徴とする。
【０００７】
上記機能停止装置において、機能停止手段は携帯型通信器の駆動電源を遮断する電源遮断手段または記憶手段の記憶内容を消去する記憶消去手段を有することができる。
【０００８】
前記課題を解決する本発明に係る第２の発明は、個人情報を記憶する記憶手段を有する携帯型通信器の機能停止システムである。そして本システムは、
予め記憶した特定信号と外部から受信した特定信号を比較し、両者が一致した場合に前記通信機器の機能停止または個人情報の消去を行う機能停止手段を備えた携帯型通信器と、  前記携帯型通信器を呼び出す呼出信号を送信する送信手段と、前記携帯型通信器からの応答信号を受信する受信手段と、応答信号を受信した場合に前記特定信号を送信する特定信号発信手段を備えた通信装置と、により構成したことを特徴とする。
【発明の効果】
【０００９】
本発明の携帯型通信器の機能停止装置は、例えばその携帯型通信器の本来の所有者から委託された通信会社等が、携帯型通信器に特定信号を無線電波で送信することによってその機能を瞬時に停止することができる。そして機能停止処置後には、その携帯型通信器を現に所持している者が記憶手段に記憶されている個人情報を読み出したり悪用することは不可能になるため、個人情報のセキュリティ保護および経済的損失の防止を図ることができる。また特定信号により個人情報を消去することによっても紛失した個人に損害を与えることを防止できるので、機能停止と同等の効果が得られる。さらに、本発明の携帯型通信器の機能停止システムによれば、前記機能停止処置を好適に実施できる。
【発明を実施するための最良の形態】
【００１０】
次に図面により本発明を実施する最良の形態を説明する。図１は本発明に係る機能停止システムのブロック図である。なお本実施形態では携帯型通信器として個人情報を記憶した記憶手段を有する携帯電話を例に説明するが、本発明は他の携帯型通信器も同様に適用できる。
【００１１】
携帯電話である携帯型通信器１は、アンテナ２、アンテナ２で受信した信号を増幅して所定の信号に変換する受信回路３、受信回路３からの信号を処理する制御手段４、制御手段４からの送信信号を増幅して所定の信号形態に変換する送信回路３ａ、システムプログラムや個人情報を記憶する記憶手段５、テンキーや押しボタンを有する入力手段６、小型スピーカ等の音声発生手段７、小型マイクロフォン等の音声入力手段８、液晶ディスプレー等の表示手段９、機能停止手段１０、各機器に駆動電源を供給する電源装置１１および入出力（Ｉ／Ｏ）手段１２を備えている。なお、これらの主要部は共通の基板に形成した集積回路で構成される。
【００１２】
制御手段４はマイクロコンピュータで構成することができ、その制御プログラムは記憶手段５の一部に記憶される。電源装置１１はリチウムイオン電池等の充電可能な電池を収容したバッテリーケースに装着される。入出力手段１２は入力手段６、音声発生手段７、音声入力手段８および表示手段９等の周辺機器と制御手段４の間に伝送される信号の整合等を行う。
【００１３】
本発明の特徴部分である機能停止手段１０は、受信回路２の出力側の受信信号の中から特定信号を分別する分別回路１３、予め特定信号を記憶した記憶部１４、受信した特定信号と記憶した特定信号を比較して両者が一致したときに電源遮断信号を出力する比較回路１５と、比較回路１５からの遮断信号により電源装置１１から制御手段４等への電源供給を遮断する電源遮断手段１６を備えている。なお記憶部１４を設ける代わりに前記記憶時５の一部を利用することもできる。
【００１４】
電源遮断手段１６は電源装置１１の両極間に並列に接続した小型のサイリスタ１７と、直列に接続したヒューズ等の溶断部１８を有しており、遮断信号によりサイリスタ１７が導通して電源装置１１の両極間を短絡し、その短絡電流で溶断部１８を溶断して電源供給を遮断するようになっている。
【００１５】
通信装置２０は携帯型通信器１の機能停止操作を行うもので、例えば当該携帯型通信器１の通信契約元である通信運営会社に設置される。通信装置２０はアンテナ２１、アンテナ２１で受信した信号を増幅して所定の信号に変換する受信回路２２、受信回路２２からの信号を処理する制御手段２３、制御手段２３からの送信信号を増幅して所定の信号形態に変換する送信回路２４、キーボード当の入力手段２５、液晶ディスプレー等の表示手段２６、プリンター等の出力手段２７および入出力（Ｉ／Ｏ）手段２８を備えている。
【００１６】
そして前記送信回路２４とアンテナ２１により送信手段２９が構成され、前記受信回路２２とアンテナ２１により受信手段２９ａが構成される。なお制御手段２３を更に図示しないホストコンピュータ等の管理装置に接続し、携帯型通信器１の顧客データ等を入手できるように構成することもできる。通信装置２０はコンピュータ装置で構成でき、その場合には制御手段２３は図示しない記憶部で記憶したシステムプログラムや制御プログラムによって制御動作を行う。
【００１７】
図２は図１のシステムにより携帯型通信器１の機能を停止する方法の手順を示すフローチャートであり、これら図１、図２を参照して携帯型通信器１の機能停止方法を説明する。先ずステップＳ１で通信装置２０の入力手段２５から機能停止すべき携帯型通信器１の電話番号を入力し、入力が正確になされたか否かを表示手段２６で確認してから機能停止指令を入力する。
【００１８】
すると制御手段２３はその機能停止指令に基づき、ステップＳ２で送信回路２４から当該携帯型通信器１の呼出信号を送信する。携帯型通信器１で受信した呼び出し信号はその受信回路３を経て制御手段４に入力される。携帯型通信器１が正常な状態にあり、且つ入力手段６に設けた受話ボタンを押さない状態であれば、直ちに制御手段４から応答信号（留守応答信号）が送信回路３ａを経て通信装置２０に送信される。
【００１９】
携帯型通信器１からの応答信号は通信装置２０の受信回路２２を経て制御手段２３に入力される。ステップＳ３で制御手段２３が応答信号有りと判断した場合は、次のステップＳ４で特定信号を携帯型通信器１に送信する。特定信号としては例えば特殊な暗号コードとすることができる。特殊信号を受信した携帯型通信器１は、その特殊信号を分別回路１３で分別して比較回路１５に入力する。なお分別回路１３は予め記憶したパターンに一致する特殊信号が受信信号の中に存在する場合にそれを分別して出力するように構成されている。
【００２０】
次に比較回路１５はステップＳ５で記憶手段１４に予め記憶した特殊信号と受信した特殊信号を比較し、両者が一致したときはステップＳ６で機能停止処置を行う。具体的には比較回路１５から電源遮断手段１６を構成するサイリスタ１７のゲートに駆動信号を出力し、それによってサイリスタ１７が駆動すると、そのカソードとアノード間が導通して電源回路を短絡し、溶断部１８を溶断して制御手段４等への電源供給を遮断する。この処理によって携帯型通信器１の機能が停止する。
【００２１】
次に、通信装置２０より特殊信号を送信してから所定時間（例えば数ｍｍ秒）経過後に、ステップＳ７で通信装置２０から再び携帯型通信器１に呼出信号を送信する。上記のように携帯型通信器１の機能停止処置が完了している場合は、携帯型通信器１からの応答信号は通信装置２０に送信されないので、ステップＳ８で通信装置２０の制御手段２３が応答なしと判断し、表示手段２６に機能停止完了の表示を行う。なお表示と共に出力手段２７から当該携帯型通信器情報および機能停止完了情報を出力することもできる。
【００２２】
前記ステップＳ３で携帯型通信器１からの応答がなかった場合は、制御手段２３はステップＳ９でそのカウンタに１を加算し、ステップＳ１０でそのカウント値の累計が予め設定した回数に達したか否かを判断する。設定回数に達していない場合は制御手段２３のタイマ回路を起動し、それがセットアップしたらステップＳ２に戻て前記手順を繰り返す。
【００２３】
ステップＳ１０でカウント値が予め設定した回数に達していると判断した場合には、表示手段２６に機能停止未完の表示を行う。なお表示と共に出力手段２７から当該携帯型通信器情報および機能停止未完情報を出力することもできる。一方、前記ステップＳ８で応答有りと判断した場合、すなわち携帯型通信器１の機能停止処置が失敗して相変わらず送信機能が継続している場合は、ステップＳ９に移って前記操作を繰り返す。なお正常な場合の上記一連の手順は数ｍｍ秒〜十数ｍｍ秒程度の極めて短時間で実行される。
【００２４】
これまで説明した実施形態では、機能停止手段１０が電源遮断手段１６を駆動して携帯型通信器１の機能を停止するように構成されている。しかし機能停止手段１０は記憶手段５の記憶内容を一括消去するように構成することもできる。その場合には比較回路１５から図１の点線のように制御手段４に一括消去信号を出力し、それを受けた制御手段４が記憶手段５の書き換え可能な部分（例えば書き換え可能なＥＰＲＯＭ）に格納された個人情報および送信制御プログラムを一括消去する。なお、一括消去制御プログラムは予め記憶手段５の書き換え不能な部分、例えばＲＯＭで構成した格納部分に記憶しておき、それを読み出して実行する。
【００２５】
そして記憶内容の一括消去方式とした場合は、受信回路２より出力する受信信号から特定信号を分別する分別回路１３と、予め特定信号を記憶した記憶部１４と、受信した特定信号と記憶した特定信号を比較して両者が一致したときに制御手段４に一括消去信号を出力する比較回路１５と、制御手段４による一括消去制御プログラム等によって、この場合の機能停止手段１０が構成される。また制御手段４による一括消去プログラム自体が前記の記憶消去手段３０を構成する。
【産業上の利用可能性】
【００２６】
本発明に係る携帯型通信器の機能停止装置およびシステムは、携帯電話等の携帯型通信器の紛失や盗難による個人情報の漏洩や悪用を防止するために利用できる。
【図面の簡単な説明】
【００２７】
【図１】本発明に係る機能停止システムのブロック図。
【図２】図１のシステムにより携帯型通信器の機能を停止する方法の手順を示すフローチャート。
【符号の説明】
【００２８】
１  携帯型通信器
２  アンテナ
３  受信回路
３ａ  送信回路
４  制御手段
５  記憶手段
６  入力手段
７  音声発生手段８
８  音声入力手段
９  表示手段
１０  機能停止手段
【００２９】
１１  電源装置
１２  入出力手段
１３  分別回路
１４  記憶部
１５  比較回路
１６  電源遮断手段
１７  サイリスタ
１８  溶断部
２０  通信装置
【００３０】
２１  アンテナ
２２  受信回路
２３  制御手段
２４  送信回路
２５  入力手段
２６  表示手段
２７  出力手段
２８  入出力手段
２９  受信手段
２９ａ  送信手段
【図１】
2005191936.tif 000003
【図２】
2005191936.tif 000004